(57)【要約】【目的】通常のドキュメントの表示領域と適した位置に重なるよう制御された書式・構成情報、追加イメージのみを表示する専用表示領域（以後、スクリーンと呼ぶ）を用意することで、あらゆるファイル形式の電子ドキュメントに対し、新たな書式・構成情報やイメージ等を追加することができるドキュメント書式追加装置を提供すること。【構成】通常のドキュメントの表示領域と適した位置に重なるよう制御された書式・構成情報、追加イメージのみを表示する専用表示領域（以後、スクリーンと呼ぶ）を用意することで、あらゆるファイル形式の電子ドキュメントに対して新たな書式・構成情報やイメージ等の追加を可能にする。【選択図】      図１
2004213523.tif 000002
【特許請求の範囲】
【請求項１】
通常のドキュメントの表示領域と適した位置に重なるよう制御された書式・構成情報、追加イメージのみを表示する専用表示領域（以後、スクリーンと呼ぶ）を用意することで、あらゆるファイル形式の電子ドキュメントに対して新たな書式・構成情報やイメージ等の追加を可能にすることを特徴とするドキュメント書式追加装置。
【請求項２】
ドキュメントとスクリーンを重ねないで、ドキュメントの情報は全て文字認識や構成認識技術等によって、テキストやイメージ等個々の構成要素に分解し、それらをスクリーン上に再配置した上で、スクリーンのみを表示させることを特徴とする請求項１記載のドキュメント書式追加装置。
【請求項３】
ドキュメントとスクリーンを重ねたまま、これらを印刷できるよう、ドキュメントとスクリーンの書式効果を総合した形でプリンタにデータを遅れることを特徴とする請求項１記載のドキュメント書式追加装置。
【請求項４】
ドキュメントのみの表示（印刷）と書式を合わせたスクリーンとの同時表示（印刷）を切り替えてできることを特徴とする請求項１記載のドキュメント書式追加装置。
【請求項５】
複数のスクリーンを存在させ、それらを選択できることを特徴する請求項１記載のドキュメント書式追加装置。
【発明の詳細な説明】
【０００１】
【発明の属する技術分野】
本発明は、電子ドキュメントに対して字体や色情報等のドキュメント書式や画像データを追加・変更する機能を有するドキュメント書式追加装置に関するものである。
【０００２】
【従来の技術】
従来、電子ドキュメントは様々なドキュメント作成ソフトウェアによって作成され、設定される書式も作成時と同一のドキュメント作成ソフトウェアによって提供されるのが一般的であった。その場合、電子ドキュメントのファイル形式は、ドキュメント作成ソフトウェア独自のファイル形式で保存されるのが一般的である。
【０００３】
又、既存の電子ドキュメントに対して書式を追加したり、構成を変更したりするようなソフトウェアも存在したが、独自のファイル形式又は或る一般的なファイル形式に変更し直した上で、書式・構成情報と文章情報を合わせて同一のファイルとして保存する必要があるものが大半である。
【０００４】
又、近年、或る特定のファイル形式に対応した文章情報に対してのみ、書式・構成情報を別ファイルとして保存しておくような装置が考案された。
【０００５】
【発明が解決しようとする課題】
しかしながら、上記従来例では、文章情報も書式・構成情報も組み合わせた形で同一のファイルに保存されてしまうのが殆どであるため、文章情報と、書式・構成情報の分離が非常に困難である。よって、直前の操作を取り消して、元のドキュメントに戻したい場合は、書式・構成の変更のみならず、文章の書き換え・追加操作も取り消さなければならない等の不便があった。
【０００６】
又、ドキュメント情報と書式情報が併せて保存されているため、一時的に書式情報のみに変更を加えて保存した後、元の状態に戻す必要がある場合等は、容易には元に戻すことができないので注意が必要であり、自由な変更を気軽に加えることができないという不便さもあった。
【０００７】
更に、ドキュメント作成ソフトウェア独自のファイル形式で保存されている場合、そのソフトウェアで扱えないような書式情報を追加したい場合には、全く別のソフトウェアで作成し直す以外には代替手段はなかった。
【０００８】
又、既存のドキュメントに対して書式追加や構成変更を加えるようなソフトウェアの場合、既存のドキュメントの中でも追加変更が可能なファイル形式が限定されており、限定外のファイル形式に対しては一切変更が加えられないか、若しくはドキュメントファイルに含まれる文章情報のみを取り出し、同一ファイルに含まれる書式・構成情報は全く生かすことができないという欠点があった。
【０００９】
更に、近年考案された、文章情報と書式・構成情報を分離して保存しておける装置においては、文章情報が或る特定のファイル形式にのっとって作成されている必要があり、異なるファイル形式のドキュメントに対しては取り扱うことができないという欠点がある。
【００１０】
本発明は上述した問題を解決するためになされたものであり、その目的とする処は、通常のドキュメントの表示領域と適した位置に重なるよう制御された書式・構成情報、追加イメージのみを表示する専用表示領域（以後、スクリーンと呼ぶ）を用意することで、あらゆるファイル形式の電子ドキュメントに対し、新たな書式・構成情報やイメージ等を追加することができるドキュメント書式追加装置を提供することにある。
【００１１】
又、本発明の第２の目的とする処は、既存の文章情報、書式・構成情報を生かした上で、書式・構成情報、イメージを追加することができるドキュメント書式追加装置を提供することにある。
【００１２】
更に、本発明の第３の目的とする処は、既存のドキュメントに含まれる文章情報、構成・書式情報イメージ情報等に影響を与えることなく、加えた書式・構成情報、イメージを容易に削除・取り消しができるドキュメント書式追加装置を提供することにある。
【００１３】
【課題を解決するための手段】
上記目的を達成するため、本発明は、通常のドキュメントの表示領域と適した位置に重なるよう制御された書式・構成情報、追加イメージのみを表示する専用表示領域（以後、スクリーンと呼ぶ）を用意することで、あらゆるファイル形式の電子ドキュメントに対して新たな書式・構成情報やイメージ等の追加を可能にすることを特徴とする。
【００１４】
【発明の実施の形態】
以下に本発明の実施の形態を添付図面に基づいて説明する。
【００１５】
図１は本実施の形態におけるブロック構成図を示す図であり、１０１はドキュメント本体が保存されているドキュメント用のデータベースであり、１０２はドキュメント用データベースとスクリーン用データベースを対応付け管理するデータベース管理部、１０３はスクリーンとそれに対応するドキュメントとの対応関係データを含めて保存されているスクリーン用のデータベースである。データベース管理部１０２はデータベース１０１の状況を常に監視しており、ドキュメントを開くため、ドキュメント表示部に表示情報を送ると、データベース１０３からそれに対応したスクリーン情報を探し出し、スクリーン表示制御部に渡す役割を果たす。
【００１６】
１０４はドキュメントの表示を制御するドキュメント表示制御部、１０５はドキュメントの書式・構成情報等を取得認識・解析する表示情報解析部、１０６は解析されたドキュメントの表示情報を元に矛盾なくスクリーンの表示を行うため制御を行うためのスクリーン表示制御部である。表示情報解析部１０５は、ドキュメント表示制御部１０４に渡された表示情報と現在の表示情報を文字認識等の表示認識技術を用いて解析し、解析結果をスクリーン表示制御部１０６に渡し、スクリーン表示制御部１０６は渡された表示情報の解析結果を元にスクリーンの表示を制御する。
【００１７】
１０７はドキュメントとスクリーンを重ね、１つのドキュメントとして見えるよう総合して表示を行う表示部である。
【００１８】
図２は本実施の形態によるドキュメント書式追加装置の動作を説明するフローチャートである。
【００１９】
ステップ２０１において、ドキュメント用データベースに格納されているドキュメントをユーザが開こうとするとＤＢ管理部がそれを検知する。
【００２０】
ステップ２０２において、ドキュメントが開かれるのを検知したＤＢ管理部はそのドキュメントに対応したスクリーンをスクリーン用データベース内から探し出し、対応するスクリーンがない場合は新しく作成して、ドキュメントとそれに対応するスクリーンをそれぞれドキュメント表示制御部とスクリーン表示制御部へと渡す。
【００２１】
ステップ２０３においては、ドキュメント表示部に亘ったドキュメントを表示部に渡し、表示させるとともに、表示情報解析部で、文字認識技術や構成認識技術を用いて、文字列、イメージ、書式、構成等の情報ごとに解析・分類される。
【００２２】
ステップ２０４では、解析・整理されたドキュメントの表示情報はスクリーン表示制御部に渡され、スクリーン上に配置する書式情報等の構成を矛盾のないように再構築し、表示させるよう表示部に指示を出す。
【００２３】
ステップ２０５においては、表示部はドキュメント表示制御部から渡されたドキュメントを表示し、更にそのドキュメントに重ねる形でスクリーン表示制御部から渡されたスクリーンの表示を行う。
【００２４】
ステップ２０６において、ドキュメントやスクリーンの閲覧、編集等の作業が終わると、ドキュメントは通常と同様に保存され、スクリーンはＤＢ管理部において、ドキュメント表示制御部とスクリーン表示制御部にあるそれぞれの表示情報の連係情報を考慮した形に直し、スクリーン用データベースに保存される。
【００２５】
図３はドキュメントとスクリーンの関係を表した図である。
【００２６】
３０１がドキュメントを表しており、３０２がそれに対応するスクリーンを表している。このドキュメント３０１の上に重ねる形でスクリーン３０２を置いたのが３０３で、スクリーン３０２はドキュメント３０１の書式情報のみを持ち、ドキュメント３０１を表示させる際のフィルターの役割を果たす。この３０３を矛盾なく整え、画面に表示すると３０４となる。
【００２７】
この３０４をスクロールさせようとすると、３０１と３０２が同時にスクロールすることで、３０４がその表示状態を維持したままスクロールさせることが可能である。
【００２８】
而して、本実施の形態によれば、書式設定やイメージ配置等をスクリーン上に置くことができるので、様々な書式・構成情報やイメージ等の追加をあらゆる電子ドキュメントに対して可能にすることができる。
【００２９】
＜実施の形態２＞
前記実施の形態１では、ドキュメントとスクリーンを重ねるとしたが、ドキュメントの情報は全て文字認識や構成認識技術等によって、テキストやイメージ等の個々の構成要素に分解し、それらをスクリーン上に再配置し、スクリーンのみを表示させるという仕組みにしても良い。この場合、ドキュメントとイメージを重ねる時に比べ、ドキュメントとスクリーンを重ね合わせる必要性がないので、スクリーンを矛盾なく表示させるのに必要な表示処理ロジックがシンプルとなるという効果がある。
【００３０】
＜実施の形態３＞
前記実施の形態では、ドキュメント・スクリーンの表示のみに言及したが、これらを印刷できるよう、ドキュメントとスクリーンの書式効果を総合した形でプリンタにデータを遅れるようにしても良い。これにより、単一アプリケーション内での印刷とは異なる書式を反映した印刷物を出力できるという効果が得られる。
【００３１】
＜実施の形態４＞
前記実施の形態では、ドキュメントとスクリーンと同時に表示する旨を述べたが、ドキュメントのみの表示と書式を合わせたスクリーンとの同時表示を切り替えてできるようにしても良い。勿論、プリントアウト等の出力時も同様である。これにより、ドキュメント側で設定された書式とスクリーンで設定した書式の違いが判断できるという効果が得られる。
【００３２】
＜実施の形態５＞
前記実施の形態では、ドキュメントに対応するスクリーンの数には言及していなかったが、複数のスクリーンを存在させ、それらを選択できるようにしても良い。この場合、幾つか対応するスクリーンを用意しておけば、簡単に異なる書式設定を行った文書のプリントアウトが容易に行え、文書作成作業者の効率が向上する。
【００３３】
【発明の効果】
以上の説明で明らかなように、本発明によれば、通常のドキュメント表示領域と適した位置に重なるよう制御された書式・構成情報、追加イメージのみを表示する専用表示領域（スクリーン）を用意することで、あらゆるファイル形式の電子ドキュメントに対して新たな書式・構成情報やイメージ等の追加を可能にすることができる。
【図面の簡単な説明】
【図１】本発明の実施例のブロック構成図である。
【図２】ドキュメント書式追加装置の動作に関するフローチャートである。
【図３】ドキュメントとスクリーンの同時表示に関する関係図である。
【符号の説明】
１０１    ドキュメント用データベース
１０２    ＤＢ管理部
１０３    スクリーン用データベース
１０４    ドキュメント表示制御部
１０５    表示情報解析部
１０６    スクリーン表示制御部
１０７    表示部
３０１    ドキュメント
３０２    スクリーン
３０３    ドキュメント・スクリーン重合図
３０４    ドキュメント・スクリーン表示図
【図１】
2004213523.tif 000003
【図２】
2004213523.tif 000004
【図３】
2004213523.tif 000005